(57)【特許請求の範囲】
【請求項１】
携帯機器と無線通信を行なう無線部と、
この無線部を介して前記携帯機器から商取引の決済に必要な情報を受信して決済処理を行なう決済処理装置本体と、
前記携帯機器を保持する機器保持体と、
この機器保持体で前記携帯機器を保持したことを検知する機器検知手段と、
この機器検知手段により前記機器保持体で前記携帯機器を保持したことが検知されたことを条件に前記無線部から携帯機器探索信号を発信し、この探索信号に対する携帯機器からの応答信号の受信電界強度を携帯機器毎に測定する機器別受信電界強度測定手段と、
この機器別電界強度測定手段により測定された電界強度が最も強い携帯機器を前記機器保持体で保持された携帯機器であると認識する保持機器認識手段とを具備し、
前記決済処理装置本体は、前記保持機器認識手段により認識された携帯機器から前記無線部を介して商取引の決済に必要な情報を受信して決済処理を行なうことを特徴とする決済処理装置。
【請求項２】
保持機器認識手段により携帯機器が認識されるまで前記機器保持体で保持された携帯機器の取外しを禁止する機器取外し禁止手段をさらに具備したことを特徴とする請求項１記載の決済処理装置。
【請求項３】
機器保持体に無線部を内蔵したことを特徴とする請求項１または２記載の決済処理装置。
【発明の詳細な説明】
【０００１】
【発明の属する技術分野】
本発明は、客が所持する携帯電話，ＰＤＡ（Personal Digital Assistants）等の携帯機器から決済に必要な情報を取得し、この取得した決済情報に基づいて、その客との商取引決済処理を行なう決済処理装置に関する。
【０００２】
【従来の技術】
一般に、商店での商取引決済としては、現金，プリペイド，クレジット，デビット，電子マネー等が知られている。このうち、現金以外の決済では、従来、ＩＣカードや磁気カードなどのカード状記録媒体が用いられていた。
【０００３】
すなわち、プリペイドや電子マネーの場合には、残高情報が記録されたカード状記録媒体が用いられており、決済処理装置は、買物客が所有するカード状記録媒体から残高情報を読取ると、その残高情報から当該買物客との商取引の代金を引き去ることによって決済を完了させていた。クレジットの場合には、クレジット会員を特定するためのクレジットカード番号が記録されたカード状記録媒体が用いられており、決済処理装置は、買物客が所有するカード状記録媒体からクレジットカード番号を読取ると、クレジットカード発行会社にクレジットの認証問合せを行ない、クレジットが承認されると決済を完了させていた。デビットの場合には、金融機関の口座を特定するためのキャッシュカード番号が記録されたカード状記録媒体が用いられており、決済処理装置は、買物客が所有するカード状記録媒体からキャッシュカード番号を読取ると、金融機関に代金の引落とし請求を行ない、該当する口座から商取引の代金が引き落とされたことを確認すると決済を完了させていた。
【０００４】
【発明が解決しようとする課題】
このように従来においては、現金以外の決済ではその決済に対応したカード状記録媒体を買物客がそれぞれ所持していなければならず、買物客にとって大変に煩わしいものであった。その一方で、近年では携帯電話の普及率に目覚しいものがあり、多くの買物客が携帯電話を所持している。また、携帯電話の多機能化も進んでおり、最近ではブルートゥースなる近距離無線通信に対応した通信インタフェースを内蔵して、パーソナルコンピュータ等の電子機器と無線でデータ通信を行なえるようになった携帯電話も実用化されている。また、ＰＤＡと称される携帯型の情報機器の中にも、ブルートゥースを内蔵して無線通信を可能にしたものがある。
【０００５】
そこで、携帯電話，ＰＤＡ等の携帯機器の内部メモリで、決済用のカード状記録媒体に記録されている決済に必要な情報を記憶するようにし、この決済に必要な情報を決済処理装置が無線通信を利用して読込んで商取引を決済させることによって、カード状記録媒体を不要にする決済方法が考えられていた。
【０００６】
しかしこの決済方法を実用化するにあたっては、次のような解決しなければならない技術的な課題があった。すなわち、携帯機器と決済処理装置との間のデータ転送に無線通信を利用するため、たとえブルートゥース等の近距離無線通信を採用したとしても、決済処理装置は同時に複数名の買物客がそれぞれ所持している携帯機器と通信可能となる場合がある。このような場合には、決済処理装置側でどの携帯機器から決済に関する情報を取得すればよいのかを特定する必要があり、簡単かつ確実に特定できるようにしなければならなかった。
【０００７】
本発明はこのような事情に基づいてなされたものであり、その目的とするところは、各買物客がそれぞれ所持している携帯機器のなかから商取引を決済する買物客の携帯機器を簡単かつ確実に特定できる決済処理装置を提供しようとするものである。
【０００８】
【課題を解決するための手段】
本発明は、携帯機器と無線通信を行なう無線部と、この無線部で携帯機器から商取引の決済に必要な情報を受信して決済処理を行なう決済処理装置本体と、携帯機器を保持する機器保持体とを具備する。そして、機器保持体で携帯機器を保持したことを機器検知手段が検知したことを条件に、無線部から携帯機器探索信号を発信し、この探索信号に対する携帯機器からの応答信号の受信電界強度を、機器別受信電界強度測定手段により携帯機器毎に測定する。そして、この機器別電界強度測定手段により測定された電界強度が最も強い携帯機器を機器保持体で保持された携帯機器であると保持機器認識手段により認識する。かくして、決済処理装置本体は、保持機器認識手段により認識された携帯機器から無線部を介して商取引の決済に必要な情報を受信して決済処理を行なうようにしたものである。なお、機器保持体は、無線部を内蔵することが好ましい。
【０００９】
【発明の実施の形態】
以下、本発明の一実施の形態を図面を用いて説明する。
なお、この実施の形態は、近距離無線通信規格の１つであるブルートゥース対応の携帯電話を用いて、ＰＯＳ（Point Of Sales：販売時点情報管理）ターミナルがデビットによる決済を処理する場合である。
【００１０】
図１は本実施の形態のシステム全体図である。図１において、符号１は決済処理装置本体として機能するＰＯＳターミナルであり、上位装置として機能するストアコンピュータ２とＬＡＮ（Local Area Network）３で接続されている。ストアコンピュータ２には、各種金融機関のホストシステム４が専用のネットワーク５を介して接続されており、ＰＯＳターミナル１は、ストアコンピュータ２を介して各種金融機関のホストシステム４とデータ通信を行ない、デビットによる商取引の決済を処理できるようになっている。
【００１１】
図１において、符号６は携帯電話７を保持する機器保持体としての携帯電話スタンドであり、通信ケーブル８によってＰＯＳターミナル１に接続されている。携帯電話スタンド６とＰＯＳターミナル１の斜視図を図２に示す。また、携帯電話７を保持した状態の携帯電話スタンド６の正面図と側面図をそれぞれ図３の（ａ），（ｂ）に示す。
【００１２】
ＰＯＳターミナル１は、図２に示すように、正面側にキーボード１１とオペレータ用のディスプレイ１２を設け、背面側に客用表示器１３を設けている。また、レシート等を印字するためのプリンタ１４を内蔵しており、このプリンタによって印字されたレシートをレシート発行口１５から発行するようになっている。また、自動開放機構を有したドロワ１６を一体的に形成しており、このドロワ１６内に現金等を収容するようになっている。キーボード１１には、買物客が買上げる商品を登録するためのキーの他、その買物客との商取引を現金方式で決済することを宣言する預／現計キー１７や、携帯電話７を用いたデビットで決済することを宣言する携帯キー１８等が設けられている。
【００１３】
携帯電話スタンド６は、図２及び図３に示すように、１台の携帯電話７を上方から挿入可能な開口部６１と、この開口部６１から挿入された携帯電話７を立てた状態で保持する携帯電話保持部６２と、この携帯電話保持部６２で携帯電話７を保持したことを検知する機器検知手段としての携帯電話センサ６３と、携帯電話保持部６２で保持されている携帯電話７の取外し禁止を表示する表示部６４とを備えている。また、携帯電話保持部６２の近傍にブルートゥース規格による無線通信を制御するブルートゥースモジュール６５を内蔵している。携帯電話センサ６３は、例えば反射型のフォトインタラプタであり、発光素子からの光が携帯電話保持部６２にて保持された携帯電話７に反射して戻ってきたことを受光素子で検出したとき、携帯電話保持部６２で携帯電話７を保持したことを検知する。表示部６４は、例えば発光ダイオードであり、携帯電話７の取外し禁止状態のとき点灯して報知する。ブルートゥースモジュール６５は、受信電波の電解強度を測定するＲＳＳＩ（Receive Signal Strength Indicator：受信電界強度）測定回路６６を装備している。
【００１４】
図４は本実施の形態で使用される携帯電話７の要部構成を示すブロック図である。すなわち携帯電話７は、制御部本体としてＣＰＵ（Central Processing Unit）２１を内蔵している。また、プログラム等の固定的データが格納されたＲＯＭ（Read Only Memory）２２、各種データを格納するメモリエリアが形成されるＲＡＭ（Random Access Memory）２３、携帯電話基地局との間の無線通信を行なう無線回路２４、送話部２５から入力された音声信号を電気信号に変換する機能と電気信号を音声信号に変換して受話部２６に出力する機能とを有する電話回路２７、フックボタン，ダイヤルボタン，ファンクション選択ボタン等が配設された操作部２８の操作により生じる信号を入力する操作部入力回路２９、液晶ディスプレイ等の表示部３０に対する画面表示を制御する表示コントロール回路３１等の他、ブルートゥースモジュール３２を携帯電話７は内蔵している。そしてＣＰＵ２１と、ＲＯＭ２２，ＲＡＭ２３，無線回路２４，電話回路２７，操作部入力回路２９，表示コントロール回路３１及びブルートゥースモジュール３２とを、アドレスバス，データバス等のバスライン３３で接続している。ブルートゥースモジュール３２，６５には、それぞれ固有のＩＤとなるBluetoothアドレスが、EthernetデバイスのＭＡＣアドレスと同様に割振られている。
【００１５】
このように構成されたプルートゥース対応の携帯電話７は、図５に示すように、携帯電話固有の機器識別情報である携帯電話番号と、デビット決済に必要な情報であるキャッシュカード番号とを、ＲＡＭ２３に記憶している。
【００１６】
図６はＰＯＳターミナル１の要部構成を示すブロック図である。すなわちＰＯＳターミナル１は、制御部本体としてＣＰＵ４１を内蔵している。また、プログラム等の固定的データが格納されたＲＯＭ４２、各種データを格納するメモリエリアが形成されるＲＡＭ４３、現在の日付及び時刻を計時する時計部４４、前記ＬＡＮ３を介してのデータ通信を制御するＬＡＮインタフェース４５、前記キーボード１２から操作キーに対応したキー信号を取込むキーボードコントローラ４６、前記オペレータ用ディスプレイ１２の表示を制御する第１の表示コントローラ４７、前記客用表示器１３の表示を制御する第２の表示コントローラ４８、前記プリンタ１４の印字動作を制御するプリンタコントローラ４９及び前記ドロワ１６の自動開放機構に開放指令信号を出力するＩ／Ｏポート５０等の他、前記携帯電話スタンド６に内蔵されたブルートゥースモジュール６５と通信ケーブル８を介してデータ通信を行なう無線インタフェース５１と、同通信ケーブル８を介して携帯電話スタンド６に設けられた携帯電話センサ６３から信号を入力するとともに、同じく携帯電話スタンド６に設けられた表示部６４に駆動信号（抜取禁止信号）を出力するＩ／Ｏポート５２とを、ＰＯＳターミナル１は内蔵している。そしてＣＰＵ４１と、ＲＯＭ４２，ＲＡＭ４３，時計部４４，ＬＡＮインタフェース４５，キーボードコントローラ４６，第１の表示コントローラ４７，第２の表示コントローラ４８，プリンタコントローラ４９，Ｉ／Ｏポート５０，無線インタフェース５１及びＩ／Ｏポート５２とを、アドレスバス，データバス等のバスライン５３で接続している。
【００１７】
かかる構成のＰＯＳターミナル１は、図７に示すように、ブルートゥースモジュール６５の無線通信エリア内に位置するブルートゥース対応携帯電話７のBluetoothアドレスと、当該携帯電話７から受信した電波の受信電界強度とを記憶する受信電界強度判定テーブル７０を、ＲＡＭ４３に形成している。
【００１８】
しかして、ＰＯＳターミナル１のＣＰＵ４１は、キーボードの携帯キー１８が入力されると、図９の流れ図に示す携帯キー処理を実行するように、プログラム構成されている。すなわちＣＰＵ４１は、携帯キー処理を開始すると、先ず、ＳＴ（ステップ）１として１商取引として売上げる商品が登録されているか否かを、例えば１商取引として売上げる商品の１点目の登録に応じてセットされ、当該商取引の決済終了に応じてリセットされる登録中フラグの状態から判断する。ここで、商品登録されていないと判断した場合にはエラーとして、この携帯キー処理を終了する。
【００１９】
ＳＴ１にて商品登録有りと判断した場合には、この商品登録が行なわれた商取引の決済としてブルートゥース対応携帯電話７が記憶しているキャッシュカード番号に基づいたデビット決済が宣言されたので、ＣＰＵ４１は、ＳＴ２としてＲＡＭ４３の受信電界強度判定テーブル７０をクリアする。また、ＳＴ３として例えばＲＡＭ４３に形成したカウンタエリアのカウントデータｎを“０”にリセットする。
【００２０】
次に、ＣＰＵ４１は、ＳＴ４として携帯電話スタンド６の携帯電話保持部６２にて携帯電話７が保持されるのを待機する。そして、Ｉ／Ｏポート５２に入力される携帯電話センサ６３の信号により、携帯電話保持部６２にて携帯電話７が保持されたことを検知すると、ＳＴ５としてＩ／Ｏポート５２から携帯電気スタンド９の表示部６４に抜取禁止信号を送信して、表示部６４を点灯動作させる。
【００２１】
また、ＣＰＵ４１は、ＳＴ６として無線インタフェース５１を介してブルートゥースモジュール６５を動作させて、Bluetoothデバイス検索信号を無線発信させる。このBluetoothデバイス検索信号は、ブルートゥース対応の携帯電話７によって受信される。そして、このBluetoothデバイス検索信号を受信した携帯電話７は、ブルートゥースモジュール３２を動作させて、所定のBluetoothアドレスデータを含む応答信号を返信するようになっている。
【００２２】
そこでＣＰＵ４１は、ＳＴ７として携帯電話７からの応答信号を待機する。そして、携帯電話スタンド６のブルートゥースモジュール６５にて携帯電話７からの応答信号を受信したことを、無線インタフェース５１に入力される信号により検知したならば、ＳＴ８として前記カウントデータｎを“１”だけカウントアップする。また、ＳＴ９として応答信号に含まれるBluetoothアドレスデータとともに、ブルートゥースモジュール６５内のＲＳＳＩ測定回路６６により測定された同応答信号の受信電界強度を、通信ケーブル８を介して取得する。そして、ＳＴ１０として受信電界強度判定テーブル７０のｎ番目エリア（ｎはカウントデータｎの値）に、ブルートゥースモジュール６５から取得したBluetoothアドレスデータと受信電界強度とを記録する。
【００２３】
ＣＰＵ４１は、携帯電話７から応答信号を受信する毎に、上記ＳＴ８乃至ＳＴ１０の処理を繰り返す。そして、ＳＴ１１として機器探索信号を送信後、一定時間が経過したことを確認すると、ＳＴ１２として前記携帯電話スタンド６の表示部６４に送信していた抜取禁止信号を停止する。また、ＳＴ１３として受信電界強度判定テーブル７０をサーチして、受信電界強度が最も強い値を示すBluetoothデバイスを選択し、携帯電話スタンド６で保持された携帯電話として認識する。なお、ＳＴ１４としてブルートゥースモジュール３２の異常等により受信電界強度判定テーブル７０にデータが格納されておらず、携帯電話７を選択できない場合にはエラーとして、この携帯キー処理を終了する。
【００２４】
ＳＴ１３にて携帯電話７を選択できた場合には、ＳＴ１５としてその選択した携帯電話７のBluetoothアドレスデータを受信電界強度判定テーブル７０から取得する。そして、このBluetoothアドレスデータを相手先アドレスとしてブルートゥースモジュール６５を動作させて、無線接続処理を行なう。これにより、当該Bluetoothアドレスが割り当てられた携帯電話７とＰＯＳターミナル１とがブルートゥース規格による無線通信により接続され、携帯電話７の表示部３０に決済の承認を求めるメッセージ（例えば「決済してよろしいですか？」）が表示されるので、当該携帯電話７の所有者は、決済を承認するか否かを操作部２８から入力することになる。
【００２５】
そこでＣＰＵ４１は、ＳＴ１６として無線接続された携帯電話７からの決済承認応答を待機する。そして、決済承認応答を受信した場合には、ＳＴ１７として当該携帯電話７からそのＲＡＭ２３に記憶されているキャッシュカードのカード番号を読込んで、デビット決済処理を実行する。これに対し、決済承認応答を受信できなかった場合にはエラーとして、この携帯キー処理を終了する。
【００２６】
このように本実施の形態においては、ブルートゥース対応の携帯電話７と無線通信を行なう無線部としてブルートゥースモジュール６５を内蔵した携帯電話スタンド６をＰＯＳターミナル１の近傍に設置し、携帯電話スタンド６とＰＯＳターミナル１との間を通信ケーブル８で接続している。また、携帯電話スタンド６に、携帯電話７を携帯電話保持部６２で保持したことを検知する機器検知手段として携帯電話センサ６３を設けている。そして、携帯キー１８の入力により携帯電話７を用いたデビット決済する宣言がＰＯＳターミナル１でなされると、携帯電話スタンド６の携帯電話保持部６２で携帯電話７が保持されたと携帯電話センサ６３によって検知されたことを条件に、ブルートゥースモジュール６５からBluetoothデバイス検索信号を無線発信する。そして、このBluetoothデバイス検索信号に対する応答信号をブルートゥース対応の携帯電話７から受信したならば、その応答信号の受信電界強度を当該携帯電話７のBluetoothアドレスとともにBluetoothデバイス別に強度判定テーブル７０に記録する（機器別受信電界強度測定手段）。
【００２７】
しかる後、強度判定テーブル７０を参照して受信電界強度が最も強いBluetoothアドレスを選択し、このBluetoothアドレスが割り当てられているブルートゥースモジュール３２内蔵の携帯電話７を携帯電話スタンド６の携帯電話保持部６２で保持された携帯電話として認識する（保持機器認識手段）。そして、ブルートゥースモジュール６５を動作させてその選択した携帯電話７とブルートゥース規格による無線通信により接続し、当該携帯電話７からデビット決済のためにキャッシュカードのカード番号を読込んで、デビット決済処理を実行するようになっている。
【００２８】
例えば今、図１０に示すように、ＰＯＳターミナル１と携帯電話スタンド６とが設置されているチェックアウトカウンタ８０で、キャッシャ８１が買物客Ａの購入商品をＰＯＳターミナル１に登録処理したとする。ここで、買物客Ａがブルートゥース対応の携帯電話７ａを用いてデビット決済することを申し出ると、キャッシャＡは、携帯キー１８を押下するとともに、買物客Ａに携帯電話７ａを携帯電話スタンド６の開口部６１から挿入するように説明する。このとき、ＰＯＳターミナル１の客用表示器１３に、図１１に示すように、携帯電話７ａを携帯電話スタンド６の開口部６１から挿入することを説明するメッセージを自動的に表示させるようにすると、買物客Ａの理解が得られやすく効果的である。
【００２９】
さて、買物客Ａが携帯電話７ａを携帯電話スタンド６の開口部６１から挿入すると、携帯電話センサ６３が携帯電話保持部６２で携帯電話７が保持されたことを検知する。これに応じて、携帯電話スタンド６の表示部６４が点灯して、携帯電話７ａの抜取り禁止を表示する。また、携帯電話スタンド６に内蔵されたブルートゥースモジュール３２からBluetoothデバイス検索信号が無線発信される（図８のＳ０）。このとき、図１０に示すように、ブルートゥースモジュール３２の無線通信エリア内に買物客Ａ以外に、ブルートゥース対応の携帯電話７ｂ〜７ｇをそれぞれ携帯している６人の買物客Ｂ，Ｃ，Ｄ，Ｅ，Ｆ，Ｇが居たとする。そうすると、携帯電話スタンド６にて保持されている携帯電話７ａは勿論のこと、他の客Ｂ〜Ｇがそれぞれ所持している携帯電話７ｂ〜７ｇからも応答信号が返信される（図８のＳ１〜Ｓ７）。これにより、強度判定テーブル７０には、各携帯電話７ａ〜７ｇのBluetoothアドレスと、それに対応して応答信号の受信電界強度とが記録される。
【００３０】
この場合において、通常は、ブルートゥースモジュール３２に最も近いところにある携帯電話、つまり携帯電話スタンド６で保持されている携帯電話７ａからの応答信号の受信電界強度が最も強くなる。そこで本実施の形態では、応答信号の受信電界強度が最も強い携帯電話を、携帯電話スタンド６で保持されている携帯電話、すなわちデビット決済を申し出た買物客Ａの携帯電話７ａであると認識する。そして、この携帯電話７ａとＰＯＳターミナル１とをブルートゥース規格で無線通信接続して、携帯電話７ａからキャッシュカード番号をＰＯＳターミナル１に読み込み、デビット決済処理が行なわれる。
【００３１】
今、図１０の例において、携帯電話スタンド６で保持されている携帯電話７ａからの応答信号の受信電界強度が最も強かったとする。そうすると、この携帯電話７ａが選択され、ＰＯＳターミナル１とブルートゥース規格で無線通信接続される。すなわち、ＰＯＳターミナル１側のブルートゥースモジュール６５から携帯電話７ａに接続要求信号が送信される（図８のＳ８）。また、携帯電話スタンド６の表示部６４が消灯して、携帯電話７ａの抜取り禁止を解除する。そこで、買物客Ａは携帯電話７ａを携帯電話保持部６２から抜き取る。このとき、携帯電話７ａの表示部３０に決済の承認を求めるメッセージが表示されるので、買物客Ａは操作部２８を操作して決済を承認する。そうすると、携帯電話７ａのブルートゥースモジュール３２から承認応答信号Ｓ送信され（図８のＳ９）、これに応じて、ＰＯＳターミナル１側のブルートゥースモジュール６５から決済情報問合せ信号が送信される（図８のＳ１０）。これにより、携帯電話７Ａからデビットカード番号がＰＯＳターミナル１に送信され（図８のＳＴ１１）、当該買物客ａとの商取引がデビット決済される。
【００３２】
このように、本実施の形態によれば、ブルートゥース対応の携帯電話７ａを用いてデビット決済する買物客Ａが、その携帯電話７ａを携帯電話スタンド６に立てかけるだけで、各買物客Ａ〜Ｇがそれぞれ所持している携帯電話７ａ〜７ｇのなかから当該買物客Ａの携帯電話７ａを特定してキャッシュカード番号を読取り、この読取ったキャッシュカード番号に基づいて商取引をデビット決済できるので、商取引対象の携帯電話７ａを簡単かつ確実に特定することができる。
【００３３】
また、本実施の形態においては、Bluetoothデバイス検索信号に対する応答信号の受信電界強度が最も強いBluetoothアドレスを、携帯電話スタンド６で保持されている携帯電話のものとして認識し、当該携帯電話と無線通信接続した際に、当該携帯電話７の表示部３０に決済の承認を求めるメッセージを表示させて、買物客に承認させるようにしている。したがって、仮に携帯電話スタンド６で保持されている携帯電話よりも受信電界強度が強い携帯電話が存在した場合には、決済対象以外の買物客が所持する携帯電話に決済の承認を求めるメッセージが表示されるので承認応答が得られず、誤って決済対象以外の買物客が所持する携帯電話のキャッシュカード情報で決済されてしまうのを防ぐことができる。
【００３４】
また、本実施の形態においては、携帯電話スタンド６に表示部６４を設け、この表示部６４によって、携帯電話スタンド６にて保持された携帯電話７がその受信電界強度から認識されるまで、携帯電話保持部６２から携帯電話７が抜き取られるのを禁止するべく表示を行なうようにしている。したがって、携帯電話スタンド６にて保持された携帯電話７が認識される前に、当該携帯電話７が誤って携帯電話保持部６２から抜き取られるのを防止できるので、確実に携帯電話スタンド６にて保持された携帯電話７を認識することができる。
【００３５】
なお、前記一実施の形態では、携帯電話７を立てかけた状態で保持する携帯電話スタンド６によって機器保持体を構成したが、携帯電話７を保持する態様はこれに限定されるものではなく、例えば携帯電話７を寝かせた状態で保持してもよい。また、携帯電話保持部６２から携帯電話７が抜き取られるのを禁止するべく表示部６４を表示させることによって機器取外し禁止手段を構成したが、携帯電話保持部６２に挿入された携帯電話７をロックする機構を携帯電話保持部６２内等に設けて、強制的に携帯電話７の抜取りを禁止してもよい。こうすることにより、より確実に携帯電話スタンド６にて保持された携帯電話７を認識できるようになる。また、前記一実施の形態では、携帯電話センサ６３により機器検知手段を構成したが、携帯電話保持部６２に挿入された携帯電話７によってＯＮする機械的なスイッチによって機器検知手段を構成することも可能である。
【００３６】
さらに、前記一実施の形態では、無線部としてのブルートゥースモジュール６５を携帯電話スタンド６に内蔵するようにしたが、ブルートゥースモジュール６５をＰＯＳターミナル１に設け、携帯電話スタンド６をＰＯＳターミナル１のブルートゥースモジュール６５近傍に設置するようにしてもよい。この場合、携帯電話スタンド６に保持された携帯電話７を認識する精度が多少悪くなるが、前記一実施の形態とほぼ同様な効果を奏することができる。
【００３７】
また、本実施の形態では、商取引の決済に必要な情報としてデビット決済用のキャッシュカード番号を例示したが、クレジット決済用のクレジットカード番号や、プリペイド決済用の金銭価値データであってもよい。
【００３８】
この他、携帯機器としてＰＤＡを使用したり、近距離無線通信としてブルートゥース以外の規格を採用したりする等、本発明の要旨を逸脱しない範囲で種々変形実施可能であるのは勿論である。
【００３９】
【発明の効果】
以上詳述したように本発明によれば、各買物客がそれぞれ所持している携帯機器のなかから商取引を決済する買物客の携帯機器を簡単かつ確実に特定して商取引を決済できる決済処理装置を提供できる。
【図面の簡単な説明】
【図１】  本発明の一実施の形態におけるシステム全体図。
【図２】  同実施の形態におけるＰＯＳターミナルと携帯電話スタンドの外観斜視図。
【図３】  同実施の形態において携帯電話を保持した携帯電話スタンドの正面図及び側面図。
【図４】  同実施の形態における携帯電話の要部構成を示すブロック図。
【図５】  同実施の形態において携帯電話が記憶する主要なデータを示す図。
【図６】  同実施の形態におけるＰＯＳターミナルの要部構成を示すブロック図。
【図７】  同実施の形態においてＰＯＳターミナルが記憶する強度判定テーブルの一例を示す図。
【図８】  同実施の形態におけるＰＯＳターミナルと各携帯電話との無線通信手順の要部を示す図。
【図９】  同実施の形態におけるＰＯＳターミナルのＣＰＵが実行する携帯キー処理の要部を示す流れ図。
【図１０】ＰＯＳターミナルと各携帯電話との位置関係の一例を示す図。
【図１１】ＰＯＳターミナルの客用表示器に表示されるメッセージの一例を示す図。
【符号の説明】
１…ＰＯＳターミナル、６…携帯電話スタンド、７…携帯電話、３２，６５…ブルートゥースモジュール、６２…携帯電話保持部、６３…携帯電話センサ、６４…表示部、６６…ＲＳＳＩ測定回路、７０…強度判定テーブル。
【図１】
0003977650.tif 000002
【図２】
0003977650.tif 000003
【図３】
0003977650.tif 000004
【図４】
0003977650.tif 000005
【図５】
0003977650.tif 000006
【図６】
0003977650.tif 000007
【図７】
0003977650.tif 000008
【図８】
0003977650.tif 000009
【図９】
0003977650.tif 000010
【図１０】
0003977650.tif 000011
【図１１】
0003977650.tif 000012